(57)【要約】【課題】歩行時における足の蹴り出し力（バネ力）を自然に高め、足を中心とする劣化を予防するとともに、健康の維持増進を図り、浮趾、開張足、外反母趾など足趾の異常の予防や矯正にも有効であり、歩行中、靴下を履いた足が靴の中で滑ることが無いようにして、歩行時における足の蹴り出し力（バネ力）を自然に高めるようにした。【解決手段】靴下１の装着状態において、足趾挿入用袋部の基部に対応する靴下本体２の裏部分に、クッション体３を設けた。【選択図】  図１
2015206131.tif 000002
【特許請求の範囲】
【請求項１】
靴下の装着状態において、足趾の裏側に対応する靴下本体の裏部分に、クッション体が設けられていることを特徴とする健康靴下。
【請求項２】
前記クッション体は、足趾挿入用袋部の基部に対応する靴下本体の裏部分の一箇所若しくは五箇所以内の複数箇所に設けられていることを特徴とする請求項１に記載の健康靴下。
【請求項３】
前記足趾挿入用袋部は、挿入された足趾の先が突出する筒状とされていることを特徴とする請求項２に記載の健康靴下。
【請求項４】
前記クッション体は、塊状をなし、弾性部材若しくは弾性を有しない部材により形成されていることを特徴とする請求項１乃至３のいずれか１項に記載の健康靴下。
【請求項５】
前記クッション体は、前記靴下本体を形成する生地の裏側の内面に、縫着等により固定されて設けられていることを特徴とする請求項１乃至４のいずれか１項に記載の健康靴下。
【請求項６】
前記クッション体は、前記靴下本体を形成する生地の裏側の内面に形成されたポケット部に、挿入自在に設けられていることを特徴とする請求項１乃至４のいずれか１項に記載の健康靴下。
【請求項７】
前記クッション体は、テープ状若しくはカバー状の保持部材に保持されており、該クッション体を保持した保持部材が、前記靴下本体を形成する生地の裏側の内面に、縫着等により固定されて設けられていることを特徴とする請求項１乃至４のいずれか１項に記載の健康靴下。
【請求項８】
前記クッション体は、前記靴下本体を形成する生地中に、一体的に設けられていることを特徴とする請求項１乃至４のいずれか１項に記載の健康靴下。
【請求項９】
足の前部分である足趾部全体の外周を包むように装着される足趾カバー本体の先端部分に、足趾挿入用袋部が設けられた足趾カバーにおいて、該袋部は挿入された足趾の先が突出する筒状とされており、足趾の基部の裏側に対応する足趾カバー本体の裏部分の一箇所若しくは五箇所以内の複数箇所に、クッション体が設けられていることを特徴とする足趾カバー。
【請求項１０】
前記クッション体は、塊状をなし、弾性部材若しくは弾性を有しない部材により形成されていることを特徴とする請求項９に記載の足趾カバー。
【発明の詳細な説明】
【技術分野】
【０００１】
本発明は、靴下又は足趾カバーを装着することにより、歩行時における足の蹴り出し力を自然に高め、足を中心とする劣化を予防するとともに、浮趾、開張足、外反母趾など足趾の異常の予防や矯正にも有効な健康靴下及び足趾カバーに関するものである。
【背景技術】
【０００２】
歩くということは、体を移動させるという機能面の他に、足を中心とする筋肉を丈夫にすることや、血液循環を良くするなど、健康を保つ上で大切な役割を果たしている。
血液は、心臓というポンプによって全身にくまなく送られて、細胞分裂に必要な酸素と栄養素を補給し、炭酸ガスと老廃物を回収し、また心臓に戻ってくる循環運動を繰り返している。
ところが、足は心臓から遠く離れた位置にあって、重力の負荷もかかることから、心臓のポンプの圧力だけでは血液を送り戻すことが不十分であり、これを助けるのが歩行の役割りである。
腰から下には全筋肉の３分の２があり、その筋肉に静脈血の毛細血管が一体化している。足は、歩く動作によって、足やふくらぎ、太ももなどの筋肉を、繰り返し伸縮させることによって、足と脚の血液は逆流防止の弁がある静脈に向かって押し上げられている。これを「ミルキングアクション」といい、この心臓に似たポンプ作用をすることが「足は第二の心臓」といわれる理由である。
また、足の筋肉や血管、神経は密接に頭脳や内臓諸器官とつながっており、歩くことによってこれを刺激し、心身の健康を増進させている。
歩行の効果を高めるためには、着地から蹴り出しまでの歩行バランスが大切であり、足趾は、歩行のバランスと蹴り出しに重要な機能を果たしている。
正常な足裏の人は、「(1) 踵,(2)足趾の付け根,(3)趾先」の足裏全体で歩行するが、趾先で蹴り出す力の弱い人は、重心が踵寄りに移動し(1) 踵,(2)足趾の付け根だけの２点歩行になり、いわゆる摺り足となって、歩行時、いっそう足趾を使わない姿勢になるため筋力が衰え、足趾が浮いた状態になる。これを浮趾という。
浮趾になると、足趾の踏ん張りがきかないため、不安定な歩行バランスになり、それを上方で補おうとして、足、下肢、首等に余分な負担がかかるようになり、各部位の痛みなど諸症状の原因になる。
【０００３】
２本足で歩行するヒトの足は、全体重を支え、歩く、走るという働きに集中するようにそれに耐えられるように、足底に下記の３つのアーチが形成される（図８参照）。
（１）踵から母趾（親指）の付け根の間：内側縦アーチ
（２）踵から小趾（小指）の付け根の間：外側縦アーチ
（３）母趾（親指）の付け根と小趾（小指）の付け根の間：横アーチ
それぞれのアーチは、筋肉や靱帯で構成され、次のような重要な役割を果たしている。  ・足を蹴り出す力（バネ）
・衝撃や負担の吸収
・足底の筋肉や、血管、神経などの保護
横アーチが低下した場合に中足骨が扇状に開き、横に広がることから「開張足」（かいちょうそく）といい、外反母趾や内反小趾の原因にもなる。また、足を蹴り出すバネの力が弱まり、体のバランスを崩すことになり、足や体への負担が大きくなる。縦アーチが低下した場合には偏平足となる。
開張足の原因は、遺伝や運動不足、足に合わない靴などがあるが、根源的には、踵が内側や外側に傾く、外反足・内反足を原因とする。直立した足を後ろから見て、アキレス腱が地面に対して内側に傾いている状態を外反足といい、外側に傾いている状態を内反足という。日本人では、約７０％が外反足症状を持つといわれている。
筋肉は、体重という負荷をかけて伸縮させることで強化されるが、足の蹴り出しが弱くなると、足裏・下肢の筋肉が活発に伸縮できなくなって退化し、上記のアーチを一層低下させ、開張足や偏平足となる。
靴を履いて歩行する時には、靴下と靴の内面とが滑るため、歩行時における足趾の蹴りだし力は一層弱くなる傾向がある。
開張足を改善させるためには、足趾把持筋力の強化が有効であって、足趾を使って足裏でタオルをつかむ、「タオルつかみ」などの足趾トレーニングが推奨されているが、効果は限定的である。
【０００４】
主として外反母趾を矯正し又は予防させる靴下として、下記特許文献１の発明が提案されている。
【先行技術文献】
【特許文献】
【０００５】
【特許文献１】特許第２５３９１７４号公報
【発明の概要】
【発明が解決しようとする課題】
【０００６】
上記特許文献１の靴下は、足の母趾（母指）の入る袋部と、その隣の足趾（足指）が入る袋部の間に固形物用袋部を分岐形成し、この固形物用袋部に固形物を充填して、足の母趾とその隣の指の間を押し開いて、母趾の付根が外方に突き出すことを阻止するものである。
【０００７】
ところが、特許文献１の靴下では、歩行時における足趾の動きを拘束させることになるため、足の筋肉を劣化させ、歩行時における足を蹴り出す力（バネ）を弱めてしまう可能性があるという問題点がある。
【０００８】
そこで本発明は、上記問題点に鑑み、歩行時における足の蹴り出し力（バネ力）を自然に高め、足を中心とする劣化を予防するとともに、健康の維持増進を図り、浮趾、開張足、外反母趾など足趾の異常の予防や矯正にも有効な健康靴下又は足趾カバーを提供すること目的とする。
さらに、本発明は、歩行中、靴下を履いた足が靴の中で滑ることが無いようにして、歩行時における足の蹴り出し力（バネ力）を自然に高めるとともに、ハイキングや登山などにも適した健康靴下又は足趾カバーを提供することを目的としている。
【課題を解決するための手段】
【０００９】
次に、上記の課題を解決するための手段を、実施の形態に対応する図面を参照して説明する。
【００１０】
本発明は、健康靴下１の装着状態において、足趾の裏側に対応する靴下本体２の裏部分に、クッション体３が設けられている健康靴下を特徴とする。
【００１１】
請求項２では、前記クッション体３は、足趾挿入用袋部の基部に対応する靴下本体２の裏部分の一箇所若しくは五箇所以内の複数箇所に設けられている健康靴下１を特徴とする。
前記健康靴下１の足趾挿入用袋部は、挿入された足趾の先が突出する筒状とされていても良い。
【００１２】
健康靴下１に設けられるクッション体３の個数と位置は、使用者に応じて適宜調整することができる。クッション体３の個数と位置が異なる複数種類の健康靴下を用意し、使用者に応じて適宜供給することができる。
例えば、靴下本体２の、５本の各足趾用袋部の基部の裏部分の五箇所にクッション体３を設けた健康靴下１を製造して提供することができる（図１参照）。
また、後述する、外反足症状を持つ人用の健康靴下１' として、靴下本体２’の、第一趾（母趾）用袋部及び第一趾（母趾）に隣り合う第二趾用袋部の基部の裏部分の二箇所にクッション体３を設けた健康靴下１' を製造し提供することができる（図４参照）。
【００１３】
請求項４では、前記クッション体３は、塊状をなし、弾性部材若しくは弾性を有しない部材により形成されている健康靴下１を特徴とする。
【００１４】
上記本発明の健康靴下１では、靴下の装着状態において、足趾の裏側にクッション体３が位置するところから、靴を履いて歩行する時に、着地後、クッション体３を介して足趾が地面側から押し上げられ、踏み出し時、足趾が足に対して略上向き傾斜状に屈曲され、趾先による蹴りだし力が増幅される。これにより、足趾の筋肉のみならず、脚全体の筋肉が鍛えられ、若しくは、刺激を受ける。この筋肉の刺激は、歩行する度毎に連続して、無理なく受けることとなり、筋肉の劣化が防止され、若しくは、筋肉が強化されて、健康が増進することになる。
また、本発明の健康靴下１では、足趾裏側のクッション体３が靴の中で滑り止めの抵抗となって、歩行時、靴の中で靴下が滑るということがなく、上記歩行時の趾先による蹴りだし力が靴下の滑りにより阻害されるということがない。
【００１５】
また、本発明の健康靴下１では、市販の足趾に外挿して用いるリング状の足指装具のように、靴下の中で嵩張って、美観を損ねたり、足趾の基部の外周に食い込んで血行障害を起こしたりする恐れがない。さらに、本発明では、靴を履いて外出する時に、習慣的に装着でき、装着のし忘れということがない。
【００１６】
請求項５では、前記クッション体３は、前記靴下本体２を形成する生地の裏側の内面に、縫着や接着により固定されて設けられている健康靴下１を特徴とする。
【００１７】
請求項６では、前記クッション体３は、前記靴下本体２''を形成する生地の裏側の内面に形成されたポケット部６に、ピンセットなどにより摘んで、挿入自在に設けられている健康靴下１''を特徴とする( 図５参照）。
【００１８】
請求項７では、前記クッション体３は、テープ状若しくはカバー状の保持部材に保持されており、該クッション体３を保持した保持部材が、前記靴下本体２を形成する生地の裏側の内面に、縫着等により固定されて設けられている健康靴下１を特徴とする。
【００１９】
上記クッション体３単体、又は、一個乃至５個以下の複数個のクッション体３が予め保持された上記保持部材（保持部材としての保持体５（図６参照））を、靴下本体２とは別に製造して供給することができる。
本発明に係る健康靴下の専用部品である、上記クッション体３又は上記保持部材を、靴下本体２とは別に使用者又は販売者が購入して、靴下本体２に取り付けることにより、本発明の健康靴下１を制作して使用することができる。
【００２０】
請求項８では、前記クッション体３は、前記靴下本体２を形成する生地中に、一体的に設けられている健康靴下を特徴とする。
上記の健康靴下は、靴下本体２の生地が厚手の場合に適している。
上記の健康靴下は、クッション体３が、靴の中での滑り止めの機能を有しており、登山用靴下やハイキング用靴下としても用いることができる。
【００２１】
請求項９の本発明に係る足趾カバー１０１は、図７の実施態様４に示されるように、足の前部分である足趾部全体の外周を包むように装着される足趾カバー本体１０２の先端部分に、足趾挿入用袋部１０２ａ〜１０２ｅが設けられた足趾カバー１０１において、該袋部は挿入された足趾の先が突出する筒状とされており、足趾の基部の裏側に対応する足趾カバー本体１０２の裏部分の一箇所若しくは五箇所以内の複数箇所に、クッション体３が設けられている足趾カバー１０１を特徴とする。
【００２２】
上記足趾カバー１０１に用いるクッション体３の構成と作用、及び足趾カバー本体１０２への取り付け態様は、上記健康靴下１（１',１''）に用いるクッション体３と同様である。
【００２３】
上記足趾カバー１０１は、装着した状態で靴やサンダルで歩行することができ、また、足趾カバー１０１の上から靴下を装着して、靴やサンダルを履いて歩行することもできる。
【発明の効果】
【００２４】
本発明に係る健康靴下又は足趾カバーでは、歩行する時に、クッション体を介して、足趾が地面側から押し上げられた後、足に対して略上向き傾斜状に屈曲される力が働き、趾先による蹴りだし力が増幅され、足趾筋力、足筋群、下肢筋力が無理なく鍛えられ、若しくは、刺激を受ける。この筋肉の刺激は、歩行する度毎に連続して、無理なく受けることとなる。
これにより、足のアーチ形成が促進され、若しくはアーチ形成の劣化が予防され、開張足や偏平足の改善につながる。また、足や脚筋肉の劣化が防止され、健康が増進する。さらに、浮趾、開張足、外反母趾など足趾の異常の予防や矯正にも効果がある。
【００２５】
また、本発明の健康靴下又は足趾カバーでは、足趾裏側のクッション体が靴の中で滑り止めの抵抗となって、歩行時、靴やサンダルの中で足又は靴下が滑るということがなく、上記歩行時の趾先による蹴りだし力が足や靴下の滑りにより阻害されるということがない。
【００２６】
また、本発明の健康靴下又は足趾カバーでは、市販の足趾に外挿して用いるリング状の足指装具のように、靴下の中で嵩張って、美観を損ねたり、足趾の基部の外周に食い込んで血行障害を起こしたりする恐れがない。
【００２７】
さらに、本発明では、外出する時に、習慣的に装着でき、装着のし忘れということがなく、日常歩行する度毎に自然に趾先による蹴りだし力が鍛えられることから、わざわざ、タオルつかみなどの足趾トレーニングをする必要がなく、浮趾、開張足、偏平足などの足の異常を改善させるためのトレーニング効果が大きい。
【００２８】
本発明の健康靴下は、クッション体が、靴の中での滑り止めの機能を有しており、厚手の靴下に適応して、登山用靴下やハイキング用靴下として用いて、安全性を向上させることができる。
【００２９】
本発明によるクッション体単体、又は、請求項７による保持部材を、靴下本体とは別に製造して供給することができる。このように、本発明に係る健康靴下又は足趾カバーの専用部品である、クッション体又は保持部材を、使用者又は販売者が購入して、靴下本体又は足趾カバー本体に取り付けることにより、本発明の健康靴下又は足趾カバーを制作して使用することができ、その普及が容易である。
【００３０】
本発明による足趾カバーは、装着した状態で靴やサンダルで歩行することができ、また、足趾カバーの上から靴下を装着して、靴やサンダルを履いて歩行することもできる。歩行時には、クッション体の抵抗と袋部から突出した足趾先の抵抗により、歩行時における足趾の蹴りだし力を一層高めることができる。
【図面の簡単な説明】
【００３１】
【図１】本発明の実施形態１に係る健康靴下の裏返した状態の背面図（Ａ），要部の横断面図（Ｂ）である。
【図２】本発明に用いる一実施形態に係るクッション体の平面図及び断面図（Ａ），同他の実施形態に係るクッション体の平面図及び断面図（Ｂ）、同さらに他の実施形態に係るクッション体の平面図及び断面図（Ｃ）である。
【図３】同健康靴下の使用態様を示す縦断面図である。
【図４】本発明の実施形態２に係る健康靴下の裏返した状態の背面図（Ａ），要部の横断面図（Ｂ）である。
【図５】本発明の実施形態３に係る健康靴下の裏返した状態の背面図（Ａ），要部の横断面図（Ｂ）である。
【図６】本発明に用いる保持部材の正面図（Ａ），横断面図（Ｂ）である。
【図７】本発明の実施形態４の足趾カバーの裏返した状態の背面図（Ａ），要部の横断面図（Ｂ）、使用状態の正面図（Ｃ）である。
【図８】足裏に形成される縦横のアーチを説明する図である。
【発明を実施するための形態】
【００３２】
以下、図１乃至図３を参照して、本発明の実施形態１に係る健康靴下１を説明する。
【００３３】
実施形態１の健康靴下１は、健康靴下１の装着状態において、第一趾（母趾）〜第五趾（小趾）の各足趾の基部の裏側に対応する靴下本体２内部の裏部分に、クッション体３が設けられている。この健康靴下１では、健康靴下１の前部に、５本の各足趾が挿入される第一趾用袋部２ａ〜第五趾用袋部２ｅが設けられており、対応する５個の各クッション体３は、第一趾用袋部２ａ〜第五趾用袋部２ｅの基部の裏部分の内表面に突出するように設けられている。
【００３４】
クッション体３は、靴下本体２の裏部分の外表面に突出するように設けられていても良い。これにより、歩行時における、靴下の靴内部における滑りが効果的に防止される。
本発明が適応される健康靴下１は、上記５本の各足趾が挿入される第一趾用袋部２ａ〜第五趾用袋部２ｅが設けられた靴下の他、足趾挿入用の袋部のない通常の靴下、地下足袋のような二股状の袋部を有する靴下にも適応できること、もちろんである。
【００３５】
また、第一趾用袋部２ａ〜第五趾用袋部２ｅの各袋部は、装着時、足趾の先端が突出する略筒状であっても良い。
【００３６】
クッション体３は、塊状をなし、表裏方向に弾性を有する、ゴム質、あるいは、比較的硬質のスポンジのような多孔質のゴム材あるいはプラスチック等の弾性部材により形成さている。クッション体３は、健康靴下１を装着した自然状態において、容易に変形しない、比較的硬質の弾性材料により形成されていることが、望ましい。
【００３７】
クッション体３は、シリコンやプラスチックの成型品、木質材料のような弾性を有しない材料により形成されていても良い。
【００３８】
クッション体の形状は、図２（Ａ）に示すように、上面が上方に凸円弧状とされた、円形若しくは楕円形状とされたクッション体３とされている。また、図２（Ｂ）に示すように、略矩形板形状の、小型のマットレス形されたクッション体３' とされていても良い。さらにまた、図２（Ｃ）に示すように、幅方向に横長形状のクッション体３''とされていても良い。その他、クッション体は、楕円形、小判形、足趾の裏面に沿った形状など、各種の形状とすることができる。
図２（Ｃ）の横長形状のクッション体３''は、第一趾用袋部２ａ〜第五趾用袋部２ｅの基部の内、複数の袋部の基部に連続して設けることができる。
【００３９】
クッション体３の靴下１への取付固定は、図１に示すように、靴下１の各足趾の基部に対応する裏部分の内表面に、保持部材としてのカバー体４にクッション体３の上面が覆われた状態で、カバー体４の周囲が靴下本体２の生地に縫着又は接着されることにより、取付固定されている。
【００４０】
図３は、上記実施形態１の健康靴下１の装着状態を示す断面図である。
図３に示すように、健康靴下１の装着状態において、足趾の裏側の基部に対応する位置にクッション体３が突出して位置するところから、靴を履いて歩行する時に、着地後、クッション体３を介して足趾が地面側から押し上げられ、踏み出し時、足趾が足に対して略上向き傾斜状に屈曲され、趾先による蹴りだし力が増幅される。これにより、足趾の筋肉のみならず、脚全体の筋肉が鍛えられ、若しくは、刺激を受ける。この筋肉の刺激は、歩行する度毎に連続して、無理なく受けることとなり、筋肉の劣化が防止され、若しくは、筋肉が強化されて、健康が増進することになる。
また、上記の健康靴下１では、足趾裏側のクッション体３が靴の中で滑り止めの抵抗となって、歩行時、靴の中で靴下１が滑るということがなく、上記歩行時の趾先による蹴りだし力が靴下の滑りにより阻害されるということがない。
【００４１】
図４を参照して、本発明の実施形態２に係る健康靴下１' を説明する。
実施形態２の健康靴下１' は、靴下本体２' に第一趾用袋部２ａ' と第二趾〜第五趾共用袋部２ｂ' が二股状に形成された地下足袋のような形状である。
クッション体３は、第一趾用袋部２ａ' の裏側内面の基部と第二趾〜第五趾共用袋部２ｂ' の裏側内面の第一趾用袋部よりの基部に設けられている。
第二趾〜第五趾共用袋部２ｂ' の裏側内面の基部に、上記図２（Ｃ）の横長形状のクッション体３''を設けることも可能である。
【００４２】
このような、二箇所にクッション体３を設けることにより、外反足症状を持つ人に装着して、外反足症状の予防又は矯正に効果がある。
また、足趾の状態に対応して、クッション体３を、任意の足趾の基部と対応する１箇所乃至５箇所以内の複数箇所に設けた健康靴下を装着することにより、足裏の接地面を地面と平行に安定させることができる。
【００４３】
図５を参照して、本発明の実施形態３に係る健康靴下１''を説明する。
【００４４】
実施形態３に係る健康靴下１''では、前記クッション体３は、靴下本体２''を形成する生地の裏側の内面に形成されたポケット部６に、ピンセットなどにより摘んで、挿入自在に設けられている。
ポケット部６は、靴下本体２''の裏側の内面において、５本の各足趾が挿入される第一趾用袋部２ａ〜第五趾用袋部２ｅの各基部に対応して、５箇所に設けられている。５箇所の各ポケット部６は、足先端側縁が閉鎖され、基端側縁が開口とされた袋状をなし、開口からクッション体３が挿入自在とされている。各ポケット部６は、靴下本体２''の幅方向に連続する略短冊形の表面シートの内部に形成され、表面シートの足先端側縁と、５箇所の各ポケット部６に対応する中間部が縫着等により区画され、各区画間が５箇所の各ポケット部６とされている。
【００４５】
このような健康靴下１''では、靴下本体２''の裏側の内面の、５本の各足趾の選択された任意の袋部２ａ〜２ｅの基部に、クッション体３を設けることができることから、外反足症状や内反足症状に対応して、その症状を矯正し、足裏の接地状態を正常化させることができる。
また、クッション体３の入れ換えが自由であることから、クッション体３が変形したり破損したような場合に、正常なクッション体３に取り替えて使用することができる。
【００４６】
図６は、本発明に係る健康靴下１の制作に用いる保持部材を示す。
この例では、上記クッション体３は、保持部材としてのテープ状若しくはカバー状の保持体５に予め保持されている。
保持体５は、靴下本体２と略同幅の二重テープ状とされ、二重テープの間に、複数個のクッション体３が、間隔をおいて予め保持されている。複数個のクッション体３の間隔は、隣り合う５本の各足趾の基部の間隔に対応する。
【００４７】
上記クッション体３単体、又は、一個乃至５個以下の複数個のクッション体３が予め保持された上記保持体５を、靴下本体２とは別に製造して供給することができる。
上記健康靴下１の専用部品である、上記クッション体３又は上記保持体５を、使用者又は販売者が購入して、靴下本体２に取り付けることにより、上記健康靴下１を制作して使用することができる。
【００４８】
図７は、本発明の実施形態４に係る足趾カバー１０１を示している。
この足趾カバー１０１は、足の前部である足趾部全体の外周に外挿され、足趾部を含む足の前部分を包む伸縮布製の筒形カバーにより形成されている。筒状の足趾カバー本体１０２の先端部分には、足趾挿入用袋部１０２ａ〜１０２ｅが設けられ、該各袋部は挿入された足趾の先が突出する筒状とされている。足趾の基部の裏側に対応する足趾カバー本体１０２の裏部分の一箇所若しくは五箇所以内の複数箇所に、クッション体３が設けられている。
【００４９】
上記足趾カバー１０１に用いるクッション体３の構成と作用及び足趾カバー本体１０２への取り付け態様は、上記健康靴下１（１',１''）に用いるクッション体３と同様である。
【００５０】
上記足趾カバー１０１は、装着した状態で靴やサンダルで歩行することができ、また、足趾カバー１０１の上から靴下を装着して、靴やサンダルを履いて歩行することもできる。
【００５１】
上記足趾カバー１０１は、足先に対する保温効果がある。また、足趾挿入用袋部１０２ａ〜１０２ｅが筒状であって足趾先が突出し、さらに、足趾カバー本体１０２を伸縮性の強い伸縮布、または、編地により形成して足先に強く密着させることにより、歩行時に脱げにくい。さらに、外反母趾や外反小趾のような、足趾の変形を矯正することができ、足先の痛みを緩和することができる。
【００５２】
上記、本発明の実施形態２〜４の図示の説明において、実施形態１と対応する構成部分には、共通の参照符号を付して、その詳細な説明は省略した。
【符号の説明】
【００５３】
１（１’, １''）  健康靴下
２（２’, ２''）    靴下本体
２ａ〜２ｅ（２ａ',２ｂ' ）  袋部
３（３',３''）  クッション体
４    保持部材としてのカバー体
５    保持部材としての保持体
６    ポケット部
１０１    足趾カバー
１０２    足趾カバー本体
１０２ａ〜１０２ｅ    袋部
【図１】
2015206131.tif 000003
【図２】
2015206131.tif 000004
【図３】
2015206131.tif 000005
【図４】
2015206131.tif 000006
【図５】
2015206131.tif 000007
【図６】
2015206131.tif 000008
【図７】
2015206131.tif 000009
【図８】
2015206131.tif 000010